(57)【要約】【課題】  時系列に並んだ複数の画像の中から、ユーザが所望する画像を容易に特定することができる技術を提供する。【解決手段】  各々１画像ずつ記憶する複数の記憶部を備え、ユーザから指示された際に表示画像を含む時系列な複数の画像を動画像から取得し、それらの時系列な順序に応じて、表示画像が一定の記憶部に記憶されるように、各画像をそれぞれ記憶部に記憶する。複数の画像の少なくとも一部の画像を表示させる。それらのうち、ユーザからの選択指示により、１つの画像を選択画像として選択する。所定の回数、選択画像を選択した場合において、記憶部ごとに、その記憶部に記憶されている画像が選択画像として選択された選択回数を記憶する。そして、複数の画像の少なくとも一部の画像を画像表示部に表示させる際に、それらの画像に、選択回数が最も多い記憶部に記憶された選択最多画像を含む。【選択図】        図１
2005341499.tif 000002
【特許請求の範囲】
【請求項１】
画像を処理する画像処理装置であって、
動画像を表示する画像表示部と、
各々１画像ずつ記憶する複数の記憶部を備え、ユーザからの記憶指示に基づいて、指示された際に前記画像表示部に表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する画像記憶部と、
記憶した前記複数の画像の少なくとも一部の画像を前記画像表示部に表示させる表示制御部と、
表示された前記複数の画像のうち、前記ユーザからの選択指示に基づいて、少なくとも１つの画像を選択画像として選択する画像選択部と、
前記画像選択部が、所定の回数、前記選択画像を選択した場合において、前記画像記憶部の前記記憶部ごとに、その記憶部に記憶されている画像が前記選択画像として選択された選択回数を記憶するテーブル記憶部と、
を備え、
前記表示制御部が前記複数の画像の少なくとも一部の画像を前記画像表示部に表示させる際に、前記複数の画像の少なくとも一部の画像に、前記選択回数が最も多い前記記憶部に記憶された選択最多画像を含むことを特徴とする画像処理装置。
【請求項２】
請求項１に記載の画像処理装置において、
前記表示制御部が前記複数の画像の少なくとも一部の画像を前記画像表示部に表示させる際に、前記複数の画像の少なくとも一部の画像に、前記選択最多画像と、該選択最多画像に対して時系列に隣接する前記画像とを含むことを特徴とする画像処理装置。
【請求項３】
請求項１または請求項２に記載の画像処理装置において、
前記表示制御部は、
前記画像表示部に前記選択最多画像を表示させる際に、
前記選択最多画像が最も前記選択回数が多いことを前記ユーザに報知することを特徴とする画像処理装置。
【請求項４】
請求項１ないし請求項３のいずれかに記載の画像処理装置において、
前記複数の画像の少なくとも一部の画像ごとに、その画像が記憶されている前記記憶部の前記選択回数の多少に基づいて順序付けを行う画像順序付け部を備え、
前記表示制御部は、
前記複数の画像の少なくとも一部の画像を前記画像表示部に表示させる際に、
それぞれの前記画像において、前記順序を表わす情報と共に表示することを特徴とする画像処理装置。
【請求項５】
請求項１ないし請求項４のいずれかに記載の画像処理装置において、
前記選択画像を外部に出力する画像出力部を備えたことを特徴とする画像処理装置。
【請求項６】
テレビ受像機であって、
動画像を表示する画像表示部と、
各々１画像ずつ記憶する複数の記憶部を備え、ユーザからの記憶指示に基づいて、指示された際に前記画像表示部に表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する画像記憶部と、
記憶した前記複数の画像の少なくとも一部の画像を前記画像表示部に表示させる表示制御部と、
表示された前記複数の画像のうち、前記ユーザからの選択指示に基づいて、少なくとも１つの画像を選択画像として選択する画像選択部と、
前記画像選択部が、所定の回数、前記選択画像を選択した場合において、前記画像記憶部の前記記憶部ごとに、その記憶部に記憶されている画像が前記選択画像として選択された選択回数を記憶するテーブル記憶部と、
を備え、
前記表示制御部が前記複数の画像の少なくとも一部の画像を前記画像表示部に表示させる際に、前記複数の画像の少なくとも一部の画像に、前記選択回数が最も多い前記記憶部に記憶された選択最多画像を含むことを特徴とするテレビ受像機。
【請求項７】
画像を処理する画像処理方法であって、
（ａ）動画像を表示する工程と、
（ｂ）各々１画像ずつ記憶する複数の記憶部を用意する工程と、
（ｃ）ユーザからの記憶指示に基づいて、指示された際に前記工程（ａ）で表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する工程と、
（ｄ）記憶した前記複数の画像の少なくとも一部の画像を表示させる工程と、
（ｅ）表示された前記複数の画像のうち、前記ユーザからの選択指示に基づいて、少なくとも１つの画像を選択画像として選択する工程と、
（ｆ）前記工程（ｅ）で、所定の回数、前記選択画像を選択した場合において、前記記憶部ごとに、その記憶部に記憶されている画像が前記選択画像として選択された選択回数を記憶する工程と、
を備え、
前記工程（ｄ）において、
前記複数の画像の少なくとも一部の画像を前記画像表示部に表示させる際に、
前記複数の画像の少なくとも一部の画像に、前記選択回数が最も多い前記記憶部に記憶された選択最多画像を含むことを特徴とする画像処理方法。
【請求項８】
画像を処理するコンピュータプログラムであって、
（ａ）動画像を表示する機能と、
（ｂ）用意される各々１画像ずつ記憶する複数の記憶部において、ユーザからの記憶指示に基づいて、指示された際に前記機能（ａ）で表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する機能と、
（ｃ）記憶した前記複数の画像の少なくとも一部の画像を表示させる機能と、
（ｄ）表示された前記複数の画像のうち、前記ユーザからの選択指示に基づいて、少なくとも１つの画像を選択画像として選択する機能と、
（ｅ）前記機能（ｄ）で、所定の回数、前記選択画像を選択した場合において、前記記憶部ごとに、その記憶部に記憶されている画像が前記選択画像として選択された選択回数を記憶する機能と、
を備え、
前記機能（ｄ）において、
前記複数の画像の少なくとも一部の画像を前記画像表示部に表示させる際に、
前記複数の画像の少なくとも一部の画像に、前記選択回数が最も多い前記記憶部に記憶された選択最多画像を含ませることをコンピュータで実現させるコンピュータプログラム。
【請求項９】
請求項８に記載のコンピュータプログラムを記録したコンピュータ読み取り可能な記録媒体。
【発明の詳細な説明】
【技術分野】
【０００１】
本発明は、時系列に並んだ複数の画像の中から、ユーザが所望する画像を取得する技術に関する。
【背景技術】
【０００２】
近年、テレビ受像機において、受信した画像を時系列順に複数記憶する機能を備えるものがある。このようなテレビ受像機は、例えば、受信した画像を時系列順に複数記憶するためのフレームメモリを複数備えている。これら各フレームメモリ上では、受信した画像の読み込み、書き換えが随時行われる。このようなテレビ受像機は、ユーザにより画像取得の指示がなされると、上記複数のフレームメモリから、時系列に並んだ画像を取得し、ユーザは、テレビ受像機が取得した画像の中から、所望する画像を特定する。例えば、ユーザがテレビ受像機の画面に表示された画像を見て、その画像の取得指示を出すまでには、所定の時間（いわゆる、反応時間）がかかる。そこで、ユーザは、テレビ受像機が取得した画像の中から、取得指示を出したタイミングより前に表示されていた画像を所望する場合があり、それを特定する。
そして、テレビ受像機は、特定された画像に種々の画像処理を行ったり、その画像を出力（例えば、印刷など。）したりする。
なお、下記特許文献１には、画像を時系列順に複数記憶する技術が示されている。
【０００３】
【特許文献１】特開平９−１３０７２１号公報
【発明の開示】
【発明が解決しようとする課題】
【０００４】
しかしながら、上述のように、取得した時系列に並んだ画像の中から、ユーザが所望する画像を特定する場合において、例えば、取得した画像が多い場合などには、所望する画像を特定する作業が繁雑になるという問題があった。
【０００５】
なお、上述の問題は、テレビ受像機に限らず、その他の画像処理装置においても共通する問題である。
【０００６】
本発明は、上記課題に鑑みてなされたもので、時系列に並んだ複数の画像の中から、ユーザが所望する画像を容易に特定することができる技術を提供することを目的とする。
【課題を解決するための手段】
【０００７】
上記目的の少なくとも一部を達成するために、本発明の画像処理装置は、画像を処理する画像処理装置であって、
動画像を表示する画像表示部と、
各々１画像ずつ記憶する複数の記憶部を備え、ユーザからの記憶指示に基づいて、指示された際に前記画像表示部に表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する画像記憶部と、
記憶した前記複数の画像の少なくとも一部の画像を前記画像表示部に表示させる表示制御部と、
表示された前記複数の画像のうち、前記ユーザからの選択指示に基づいて、少なくとも１つの画像を選択画像として選択する画像選択部と、
前記画像選択部が、所定の回数、前記選択画像を選択した場合において、前記画像記憶部の前記記憶部ごとに、その記憶部に記憶されている画像が前記選択画像として選択された選択回数を記憶するテーブル記憶部と、
を備え、
前記表示制御部が前記複数の画像の少なくとも一部の画像を前記画像表示部に表示させる際に、前記複数の画像の少なくとも一部の画像に、前記選択回数が最も多い前記記憶部に記憶された選択最多画像を含むことを要旨とする。
【０００８】
上記画像処理装置の構成によれば、記憶された複数の画像のうち、ユーザにより選択される可能性の高い画像を示すことができる。従って、ユーザは、所望する画像を容易に特定することができる。
【０００９】
上記画像処理装置において、
前記表示制御部が前記複数の画像の少なくとも一部の画像を前記画像表示部に表示させる際に、前記複数の画像の少なくとも一部の画像に、前記選択最多画像と、該選択最多画像に対して時系列に隣接する前記画像とを含むようにしてもよい。
【００１０】
このようにすれば、ユーザにより選択される可能性の高い画像の他、その画像に時系列に隣接する画像を、ユーザに示すことができる。従って、ユーザが画像を選択する際に、選択する画像の選択肢が広がり、かつ、ユーザは、それらの選択肢の中から所望する画像を容易に特定することができる。
【００１１】
上記画像処理装置において、
前記表示制御部は、
前記画像表示部に前記選択最多画像を表示させる際に、
前記選択最多画像が最も前記選択回数が多いことを前記ユーザに報知するようにしてもよい。
【００１２】
このようにすれば、ユーザにより選択される可能性の一番高い画像を優先的に示すことができる。従って、ユーザは、所望する画像を容易に特定することができる。
【００１３】
上記画像処理装置において、
前記複数の画像の少なくとも一部の画像ごとに、その画像が記憶されている前記記憶部の前記選択回数の多少に基づいて順序付けを行う画像順序付け部を備え、
前記表示制御部は、
前記複数の画像の少なくとも一部の画像を前記画像表示部に表示させる際に、
それぞれの前記画像において、前記順序を表わす情報と共に表示するようにしてもよい。
【００１４】
このようにすれば、ユーザにより選択される可能性の高い画像をユーザに優先的に示すことができる。従って、ユーザは、所望する画像を容易に特定することができる。
【００１５】
上記画像処理装置において、前記選択画像を外部に出力する画像出力部を備えていてもよい。
【００１６】
上記目的の少なくとも一部を達成するために、本発明のテレビ受像機は、
動画像を表示する画像表示部と、
各々１画像ずつ記憶する複数の記憶部を備え、ユーザからの記憶指示に基づいて、指示された際に前記画像表示部に表示されていた表示画像を含む時系列な複数の画像を前記動画像から取得し、それらの時系列な順序に応じて、前記表示画像が一定の前記記憶部に記憶されるように、各画像をそれぞれ前記記憶部に記憶する画像記憶部と、
記憶した前記複数の画像の少なくとも一部の画像を前記画像表示部に表示させる表示制御部と、
表示された前記複数の画像のうち、前記ユーザからの選択指示に基づいて、少なくとも１つの画像を選択画像として選択する画像選択部と、
前記画像選択部が、所定の回数、前記選択画像を選択した場合において、前記画像記憶部の前記記憶部ごとに、その記憶部に記憶されている画像が前記選択画像として選択された選択回数を記憶するテーブル記憶部と、
を備え、
前記表示制御部が前記複数の画像の少なくとも一部の画像を前記画像表示部に表示させる際に、前記複数の画像の少なくとも一部の画像に、前記選択回数が最も多い前記記憶部に記憶された選択最多画像を含むことを要旨とする。
【００１７】
上記テレビ受像機の構成によれば、記憶された複数の画像のうち、ユーザにより選択される可能性の高い画像を示すことができる。従って、ユーザは、所望する画像を容易に特定することができる。
【００１８】
なお、本発明は、上記した装置発明の態様に限ることなく、方法発明としての態様で実現することも可能である。さらには、それらの方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１９】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００２０】
以下では、本発明の実施の形態を実施例に基づいて以下の手順で説明する。
Ａ．テレビ受像機の構成：
Ｂ．処理の流れ：
Ｃ．実施例の効果：
Ｄ．変形例：
【００２１】
Ａ．テレビ受像機の構成：
図１は、本発明の実施例におけるテレビ受像機の概略構成を示す説明図である。このテレビ受像機１０は、ＣＰＵ１００と、ＴＶチューナ１１０と、画像処理回路１２０と、画像表示装置１３０と、操作パネル１４０と、メモリ１８０と、メモリ１９０と、プリンタ３００とを備え、それぞれがバス１００ｂを介して接続されている。
【００２２】
ＣＰＵ１００は、上述したＴＶチューナ１１０と、画像処理回路１２０と、画像表示装置１３０と、操作パネル１４０と、メモリ１８０と、メモリ１９０と、プリンタ３００の各部の制御を行う。また、ＣＰＵ１００は、ＲＯＭ（図示せず）から所望のプログラムを読み出し、それをメモリ１９０上で実行することで、画像処理部２００としても機能する。また、この画像処理部２００は、所定の画像処理を行う他、ウィンドウ作成部２１０、画像取得部２２０、度数分布解析部２３０の機能も備えている。
【００２３】
図２は、本実施例におけるテレビ受像機の正面図である。
図に示すように、テレビ受像機１０の正面における上面には、画像表示装置１３０が備えられており、下面には、操作パネル１４０と、プリンタ３００が備えられている。
【００２４】
図２に示すように、操作パネル１４０は、十字キー１４２と、画像取得ボタン１４４と、印刷ボタン１４６とを備えている。十字キー１４２と、画像取得ボタン１４４と、印刷ボタン１４６についての詳細は、後述する。なお、この操作パネル１４０は、上記操作ボタンおよび十字キーを備えていればよく、例えば、タッチパネルでもよいし、リモコンで操作できるようになっていてもよい。
【００２５】
また、画像表示装置１３０は、例えば、液晶ディスプレイ、ＰＤＰ（プラズマ  ディスプレイ）、ＣＲＴなどで構成されており、画像処理回路１２０で処理された画像データを表示する。
【００２６】
ＴＶチューナ１１０（図１）は、アンテナで受信したテレビジョン信号（以下、ＴＶ信号と呼ぶ。）の中から、所定の方法でユーザにより指定されるチャンネルのＴＶ信号を特定し、ＴＶ信号Ｘとして、画像処理回路１２０に出力する。なお、本実施例では、ユーザとは、特定の１人のユーザを指すこととする。
【００２７】
図３は、本実施例における画像処理回路の処理を説明するための模式図である。図に示すように、画像処理回路１２０は、１０個のフレームメモリＦＭを備えている。以下の説明を簡略化するため、これらのフレームメモリＦＭの位置に対応させて、ＴＶ信号Ｘの入力側から１〜１０の番号（ＦＭ番号）を付している。また、この画像処理回路１２０は、前段処理部（図示せず）を備えており、ＴＶチューナ１１０から出力されたＴＶ信号Ｘを、前記前段処理部でアナログ／ディジタル処理後、リサイズ処理、γ補正処理などの所定の画像処理を行い画像データとしてＦＭ番号１のフレームメモリＦＭに書き込み記憶する。そして、画像処理回路１２０は、書き込まれた画像データをＦＭ番号２のフレームメモリＦＭに読み込んで書き込み、さらに、この書き込まれた画像データをＦＭ番号３のフレームメモリＦＭに読み込んで書き込む。このように画像処理回路１２０は、フレーム番号１０のフレームメモリＦＭまで、画像データのシフトを繰り返す。従って、ＦＭ番号１〜１０のフレームメモリＦＭには、時系列に並んだ画像データが書き込まれることになる。また、画像処理回路１２０は、ＦＭ番号３のフレームメモリＦＭに書き込まれた画像データが表わす画像を画像表示装置１３０に送る。なお、ＦＭ番号３に書き込まれている画像データが表わす画像は、現在、画像表示装置１３０に表示されている画像であるので、現在表示画像と呼ぶ。これに対し、ＦＭ番号１，２に書き込まれている画像データが表わす画像は、将来、画像表示装置１３０に表示される予定の画像であるので、これを将来表示画像と呼ぶ。さらに、ＦＭ番号４〜１０に書き込まれている画像データが表わす画像は、過去に画像表示装置１３０に表示された画像であるので、これを過去表示画像と呼ぶ。
【００２８】
また、画像処理回路１２０は、ユーザにより画像取得ボタン１４４が押された場合には、各フレームメモリＦＭ間のシフトを停止する。
【００２９】
図４は、本実施例のフレームメモリＦＭを含む選択エリアを説明する模式図である。本実施例では、図４に示すように、１０あるフレームメモリＦＭに対し、５つのフレームメモリＦＭに対し選択エリア５００を仮想的に設定する。この選択エリア５００は、Ａ〜Ｅの５つ番号が付されたブロックに分けられており、各ブロックは、１つのフレームメモリＦＭに対応している。この選択エリア５００に対応するフレームメモリＦＭに書き込まれている画像データは、後述の処理でユーザにより特定され印刷され得る印刷候補の画像（以下、印刷候補画像と呼ぶ。）を表わす画像データ（以下、印刷候補画像データと呼ぶ。）となる。なお、図４は、デフォルト時の選択エリア５００の位置を示し、ブロック番号Ａ〜Ｅの各ブロックが、ＦＭ番号１〜５のフレームメモリＦＭにそれぞれ対応している。なお、選択エリア５００は、後述の偏向度度数分布解析処理で移動する場合があり、選択エリア５００において、例えば、ブロック番号Ｃのブロックは、ＦＭ番号８のフレームメモリＦＭまでの範囲で移動可能となっている。
【００３０】
なお、上記画像データは、ドットマトリクス状の各画素の階調値を示す階調データ（以下、「画素データ」と呼ぶ。）で構成されている。画素データは、Ｙ（輝度）、Ｃｂ(ブルーの色差)、Ｃｒ(レッドの色差)からなるＹＣｂＣｒデータや、Ｒ（レッド）、Ｇ（グリーン）、Ｂ（ブルー）からなるＲＧＢデータ等である。
【００３１】
メモリ１９０は、画像処理部２００、および、ウィンドウ作成部２１０、画像取得部２２０、度数分布解析部２３０などが所定の処理を行うための作業領域である。
【００３２】
メモリ１８０は、印刷候補画像データ格納部１８２と、度数分布テーブル格納部１８５とを備えている。印刷候補画像データ格納部１８２には、後述する印刷候補画像データが格納される。また、度数分布テーブル格納部１８５には、後述する度数分布テーブルが格納されている。
プリンタ３００は、所定の画像データを取得し、印刷する。
【００３３】
ウィンドウ作成部２１０は、メモリ１９０上で所定のウィンドウを表わすウィンドウ画像を作成し、作成したウィンドウ画像の画像データ（以下、ウィンドウ画像データと呼ぶ。）をＦＭ番号３のフレームメモリＦＭに書き込む。このフレームメモリＦＭに書き込まれたウィンドウ画像データは、画像処理回路１２０によって、画像表示装置１３０に送られ、表示される。なお、作成するウィンドウ画像についての詳細は、後述する。
【００３４】
画像取得部２２０は、ユーザにより操作パネル１４０の画像取得ボタン１４４が押されると、図４に示す選択エリア５００内にある５つのフレームメモリＦＭに書き込まれている印刷候補画像データを取得し、印刷候補画像データ格納部１８２に格納する。
度数分布解析部２３０は、後述する偏向度度数分布解析処理を実行する。
【００３５】
Ｂ．処理の流れ：
本実施例におけるテレビ受像機１０は、通常時には、ＴＶチューナ１１０から出力されるＴＶ信号Ｘに基づき、画像処理回路１２０で上述のごとく所定の画像処理を行って現在表示画像を作成し、その現在表示画像が画像表示装置１３０に表示される。しかし、ユーザにより画像取得ボタン１４４が押されると、テレビ受像機１０は、割り込み処理として、そのタイミングにおける現在表示画像、将来表示画像、および過去表示画像の中から少なくとも将来表示画像もしくは過去表示画像を含む５つの画像（印刷候補画像）を取得する。そして、それらの中からユーザに特定された画像を印刷する処理を行う。以下に、このような画像印刷処理について説明する。
【００３６】
図５は、本実施例における画像印刷処理の流れを表すフローチャートである。
まず、画像処理部２００は、ユーザにより操作パネル１４０を介して、画像取得ボタン１４４が押されたかどうかを判断する（ステップＳ１００）。
【００３７】
画像取得部２２０は、画像取得ボタン１４４が押されていない場合（ステップＳ１００：ＮＯ）は、そのまま待機する。この時、画像表示装置１３０には、現在表示画像が再生されている。
【００３８】
画像取得部２２０は、画像取得ボタン１４４が押されたと判断すると（ステップＳ１００：ＹＥＳ）、続いて、選択エリア５００内にある５つのフレームメモリＦＭに書き込まれている各画像データと、それぞれのＦＭ番号とを対応づけて印刷候補画像データ格納部１８２に格納する（ステップＳ１１０）。例えば、デフォルト時では、選択エリア５００は、上述したようにＦＭ番号１〜５のフレームメモリＦＭを含んでいるので、このＦＭ番号１〜５に記憶されている各画像データと、それぞれのＦＭ番号とを対応づけて印刷候補画像データ格納部１８２に格納する。このように格納された画像データは、後述の処理で、印刷候補画像データとして用いられる。
【００３９】
図６は、本実施例におけるウィンドウ作成部が作成するウィンドウ画像Ｗを説明する図である。図６に示すウィンドウ画像Ｗは、印刷候補画像の５つの画像のサムネイルが示されている。
デフォルト時には、ウィンドウ作成部２１０は、メモリ１９０上において、ステップＳ１２０の処理で印刷候補画像データ格納部１８２に格納された５つの印刷候補画像データを用いてそれぞれサムネイルを作成し、図６に示すように、ウィンドウ画像Ｗを作成する。この場合、ウィンドウ作成部２１０は、ブロック番号Ａ〜Ｅ（すなわち、ＦＭ番号１〜５）にそれぞれ対応する画像から作成したサムネイルを左から順番に、ブロック番号がＡ→Ｂ→Ｃ→Ｄ→Ｅとなるように並べている。ウィンドウ作成部２１０は、作成したウィンドウ画像ＷをＦＭ番号３のフレームメモリＦＭに書き込む。そして、ＦＭ番号３のフレームメモリＦＭに書き込まれたウィンドウ画像Ｗは、画像表示装置１３０に送られ、表示される。こうして、印刷候補画像を示すウィンドウ画像Ｗが画像表示装置１３０に表示される（ステップＳ１２０）。また、ウィンドウ画像Ｗにおいて、図６に示すように、ブロック番号Ｂ（ＦＭ番号２）のサムネイルが縁取りされている。この縁取りは、ユーザが十字キー１４２を操作することで、サムネイル間を移動する。この縁取りがあるサムネイルは、ユーザにより選択されていることを示す。
【００４０】
なお、上述のウィンドウ画像Ｗは、デフォルト時の印刷候補画像を示しており、選択エリア５００に含まれるＦＭ番号１〜５のフレームメモリＦＭに書き込まれた画像データから作成したサムネイルが用いられている。しかしながら、後述の偏向度度数分布解析処理後には、選択エリア５００の位置が移動する場合があり、この場合には、上述のステップＳ１１０において、印刷候補画像の取得先（５つのフレームメモリＦＭの位置）も移動する。この場合における印刷候補画像を示すウィンドウ画像については、後述する。
【００４１】
続いて、画像処理部２００は、ユーザが、画像表示装置１３０に表示されるウィンドウ画像Ｗにおいて、十字キー１４２を操作し所望する印刷候補画像のサムネイルに縁取りを移動させて、印刷ボタン１４６を押すと、そのサムネイルに対応する画像データ（以下、印刷画像データと呼ぶ。）をユーザにより特定された画像として印刷候補画像データ格納部１８２から読み出し、プリンタ３００に出力する。プリンタ３００は、出力された印刷画像データを印刷する（ステップＳ１３０）。
【００４２】
ところで、上述において、ユーザは、画像表示装置１３０に表示された表示画像を見て、その後に画像取得ボタン１４４を押す。この場合、ユーザは、少なくともユーザが見た表示画像、若しくは、その表示画像に対して時系列的に前後の表示画像を、所望する画像として特定したいという意志があると考えられる。そこで、ユーザは、それらの画像の中から、所望する画像を特定する。この場合には、ユーザが特定する画像には、そのユーザの好みや癖など、或る一定の傾向が示されることになる。例えば、ユーザが画像表示装置１３０に表示された画像を見て、画像取得ボタン１４４を押すまでには、所定の時間（いわゆる、反応時間）がかかる。そこで、ユーザは、反応時間を考慮して、画像取得ボタン１４４を押した時より少し前のタイミングに該当する表示画像を所望する場合があり、それを特定する。本実施例では、このように、ユーザが所望する画像を特定する際の傾向の度合を偏向度を用いて表わす。この偏向度の求め方は、以下の偏向度度数分布解析処理で説明する。
【００４３】
ステップＳ１３０の処理で、ユーザにより特定（選択）された印刷画像データを印刷すると、続いて、偏向度度数分布解析処理（ステップＳ１４０）を行う。この偏向度度数分布解析処理では、度数分布テーブルＱを用いて、ステップＳ１３０の処理において、ユーザにより特定される偏向度を求める。そして、ユーザによる偏向度が高い印刷候補画像の取得先であるフレームメモリＦＭの位置（ＦＭ番号）を特定する。まず、図７を用いて、印刷候補画像を特定する際のユーザの偏向度を示す度数分布テーブルＱについて説明する。
【００４４】
図７は、本実施例における印刷候補画像を特定する際のユーザの偏向度を示す度数分布テーブルＱを示す図である。この度数分布テーブルＱは、図７に示すように、各ＦＭ番号（１〜１０）が各階級（１〜１０階級）にそれぞれ対応し、上述のステップＳ１３０の処理でユーザにより印刷候補画像が特定され印刷処理される度に、その印刷候補画像のＦＭ番号に対応する階級に度数が１加算される。従って、度数分布テーブルＱにおいて、度数（加算合計）が多いほど、ユーザにより特定された（印刷処理された）回数が多いということであり、すなわち、偏向度が高いということを示す。
【００４５】
それでは、以下に、偏向度度数分布解析処理について説明する。
図８は、本実施例における偏向度度数分布解析処理の流れを表すフローチャートである。
【００４６】
まず、度数分布解析部２３０は、度数分布テーブル格納部１８５に格納されている度数分布テーブルＱにおいて、ステップＳ１３０の処理にてユーザにより特定された印刷候補画像のＦＭ番号に該当する階級に度数を１加算する（ステップＳ２００）。なお、デフォルト時には、すべての階級における度数の加算合計は、「０」となっている。
【００４７】
次に、度数分布解析部２３０は、度数の加算回数が、５０回に達したかどうか、すなわち、ステップＳ１３０の処理で、５０回印刷が行われたかどうかを判断する（ステップＳ２１０）。
【００４８】
度数分布解析部２３０は、度数の加算回数が５０回に達している場合には（ステップＳ２１０：ＹＥＳ）、度数分布テーブルＱを評価する（ステップＳ２２０）。具体的には、度数分布テーブルＱにおいて、それぞれの階級における度数を比較し、一番度数の多い階級を特定する。
【００４９】
続いて、度数分布解析部２３０は、選択エリア５００の位置を調整する（ステップＳ２３０）。具体的には、度数分布解析部２３０は、選択エリア５００の中心にあるブロック番号Ｃのブロックが、上述のステップＳ２２０の処理で特定した階級のＦＭ番号におけるフレームメモリＦＭに対応するように選択エリア５００を移動させる。
【００５０】
図９は、本実施例の選択エリアの移動を説明する模式図である。
例えば、度数分布解析部２３０は、ステップＳ２２０の処理で特定した度数が一番多い階級に該当するのがＦＭ番号５に対応するフレームメモリＦＭであったとすると、図９に示すように、ＦＭ番号５のフレームメモリＦＭが、選択エリア５００のブロック番号Ｃのブロックに含まれるように選択エリア５００を移動させる。
【００５１】
選択エリア５００の位置の調整が終了すると、続いて、度数分布解析部２３０は、度数分布テーブルＱの初期化を行う（ステップＳ２４０）。すなわち、度数分布解析部２３０は、度数分布テーブルＱにおいて、すべての階級の度数を０に戻す。
【００５２】
度数分布解析部２３０は、度数の加算回数が５０回に達していない場合（ステップＳ２１０：ＮＯ）、もしくは、ステップＳ２４０の処理が終了すると、画像印刷処理にリターンする。
【００５３】
なお、この偏向度度数分布解析処理で、図９のごとく、選択エリア５００が移動した場合において、上述の画像印刷処理（ステップＳ１２０（図５））で、ウィンドウ作成部２１０は、印刷候補画像を示したウィンドウ画像Ｗ１を作成する。このウィンドウ画像Ｗ１について、以下に、図１０を用いて説明する。
【００５４】
図１０は、本実施例におけるウィンドウ作成部が作成するウィンドウ画像Ｗ１を説明する図である。
選択エリア５００が移動（図９）すると、上述の画像印刷処理（ステップＳ１１０（図５））において、印刷候補画像の取得先（５つのフレームメモリＦＭの位置）も移動する。そうすると、画像取得部２２０は、画像取得ボタン１４４が押されると（ステップＳ１００：ＹＥＳ、図５）、選択エリア５００内において、ブロック番号Ａ〜Ｅにそれぞれ対応するＦＭ番号３〜７のフレームメモリＦＭに書き込まれている各画像データと、それぞれのＦＭ番号とを対応づけて印刷候補画像データ格納部１８２に格納する（ステップＳ１１０、図５）。そして、ウィンドウ作成部２１０は、メモリ１９０上において、印刷候補画像データ格納部１８２に格納された５つの印刷候補画像データを用いてそれぞれサムネイルを作成し、図１０に示すように、ウィンドウ画像Ｗ１を作成する。この場合、ウィンドウ作成部２１０は、ブロック番号Ａ〜Ｅ（ＦＭ番号３〜７）にそれぞれ対応する印刷候補画像から作成したサムネイルを、上述のごとく、一番偏向度が高いブロック番号Ｃ（ＦＭ番号５）に対応する印刷候補画像のサムネイルが中央になるように左から順番に並べる。また、図１０に示すように、このブロック番号Ｃ（ＦＭ番号５）に対応する印刷候補画像のサムネイルには、ウィンドウ画像Ｗ１の作成当初から縁取りがなされている。縁取りがあるサムネイルは、上述のごとく、ユーザにより選択されていることを示す。従って、ユーザが、この状態で、印刷ボタン１４６を押せば、一番偏向度が高い印刷候補画像が特定されることになる。
【００５５】
Ｃ．実施例の効果：
以上のように、本実施例のテレビ受像機１０は、偏向度度数分布解析処理において、度数分布テーブルＱに基づき、ユーザが一番特定する傾向が高い（すなわち、ユーザの偏向度が高い）印刷候補画像の取得先であるフレームメモリＦＭの位置（ＦＭ番号）を特定している。そして、図１０のごとく、ウィンドウ画像において、特定したフレームメモリＦＭに記憶された印刷候補画像のサムネイルが中央になるように並べられ、さらに、ウィンドウ画像の作成当初からそのサムネイルが選択された状態となっている。このようにすれば、フレームメモリＦＭに記憶された画像のうち、ユーザの過去の癖（すなわち、偏向度）に応じて、自動でウィンドウ画像にユーザの特定する可能性の高い画像を印刷候補画像として示すことができる。そして、ユーザは、十字キー１４２を操作することなく、印刷ボタン１４６を押すだけで所望する画像を容易に特定することができる。
【００５６】
ところで、一般的に、ユーザが画像表示装置１３０に表示された現在表示画像を見て、その画像を取得しようとして画像取得ボタン１４４を押すまでには、所定の時間（いわゆる、反応時間）がかかる。また、画像取得ボタン１４４を押してから、それに対応する処理が行われるには、その処理を行うハードウェア（例えば、ＣＰＵ１００など。）における内部処理時間がかかる。この場合、ユーザによっては、反応時間または内部処理時間を考慮して、画像取得ボタン１４４を押した時より少し前のタイミングに該当する表示画像、すなわち、過去表示画像を印刷候補画像の中から特定したいという要望がある。このような要望に鑑みれば、例えば、ユーザにより所定のＦＭ番号に対応する過去表示画像が継続して、印刷候補画像の中から特定される場合がある。このような場合であっても、上述のようにすれば、自動でユーザの特定する可能性の高い画像を印刷候補画像として示すことができる。従って、ユーザは、所望する画像を容易に特定することができる。
【００５７】
また、本実施例のテレビ受像機１０は、度数分布テーブルＱにおいて、一番度数の高い階級を特定し、選択エリア５００の中心にあるブロック番号Ｃのブロックが、特定した階級におけるＦＭ番号のフレームメモリＦＭに対応するように選択エリア５００を移動させている。このようにすれば、印刷候補画像の取得先は、ユーザの偏向度の高い画像データが書き込まれるフレームメモリＦＭ、および、その周辺のフレームメモリＦＭとなる。従って、ウィンドウ画像にユーザの特定する可能性の高い画像、および、その画像に対して時系列的に一番近い画像を印刷候補画像として示すことができる。従って、ユーザは、所望する画像を容易に特定することができる。
【００５８】
Ｄ．変形例：
なお、本発明では、上記した実施の形態に限られるものではなく、その要旨を逸脱しない範囲において種々の態様にて実施することが可能である。
【００５９】
Ｄ１．変形例１：
上記実施例では、画像印刷処理において、ユーザにより特定された印刷候補画像は印刷処理されているが、本発明はこれに限られるものではない。例えば、ユーザにより特定された印刷候補画像は、種々の画像処理が行われてもよい。この場合、偏向度度数分布解析処理では、その画像処理が終了するごとに度数分布テーブルＱに度数を加算する。また、このような場合、特にプリンタ３００を設けなくてもよい。
【００６０】
Ｄ２．変形例２：
上記実施例のテレビ受像機１０において、少なくとも上述した画像印刷処理を実施可能な機能を、他の画像処理装置が備えるようにしてもよい。
【００６１】
Ｄ３．変形例３：
上記実施例では、プリンタ３００は、バス１００ｂを介して接続されているが、本発明は、これに限られるものではなく、所定の入力インタフェイス（図示せず）を介して、外部接続されてもよい。
【００６２】
Ｄ４．変形例４：
上記実施例では、１０個のフレームメモリＦＭを用いて、現在表示画像、過去表示画像および将来表示画像を記憶しているが、本発明はこれに限られるものではない。３個から９個もしくは１１個以上のフレームメモリＦＭを用いて現在表示画像、過去表示画像および将来表示画像を記憶してもよい。また、フレームメモリＦＭの代りに、所定のバッファメモリ（例えば、フラッシュメモリなど。）を用いて、過去表示画像や将来表示画像を記憶するようにしてもよい。
【００６３】
Ｄ５．変形例５：
上記実施例では、フレームメモリＦＭに現在表示画像の他、将来表示画像および過去表示画像が記憶されるようになっているが、本発明はこれに限られるものではない。フレームメモリＦＭには、現在表示画像と将来表示画像のみが記憶されるようにしてもよい。この場合、例えば、ＦＭ番号１〜９までに将来表示画像が記憶され、ＦＭ番号１０に現在表示画像が記憶される。また、フレームメモリＦＭには、現在表示画像と過去表示画像のみが記憶されるようにしてもよい。この場合、例えば、ＦＭ番号１に現在表示画像が記憶され、ＦＭ番号２〜１０に過去表示画像が記憶される。
【００６４】
Ｄ６．変形例６：
上記実施例におけるテレビ受像機１０は、リアプロジェクションＴＶであってもよい。
【００６５】
Ｄ７．変形例７：
上記実施例の偏向度度数分布解析処理では、度数の加算回数が５０回に達した場合（ステップＳ２１０）に、度数分布テーブルＱを評価するようにしているが、本発明はこれに限られるものではない。偏向度度数分布解析処理において、ユーザの偏向度が正確に計測できる程度の任意の度数加算回数で、度数分布テーブルＱを評価するようにしてもよい。
【００６６】
Ｄ８．変形例８：
上記実施例では、偏向度度数分布解析処理において、印刷候補画像を特定するユーザの偏向度を求めることで、ユーザが所望する画像を容易に特定できるようにしているが、本発明はこれに限られるものではない。例えば、ユーザが、上記反応時間を考慮して、画像取得ボタン１４４を押した時より少し前のタイミングに該当する表示画像、すなわち、過去表示画像を印刷候補画像の中から特定する場合には、以下の構成としてもよい。すなわち、ユーザの反応時間を計測することができる機能（図示せず）を設け、計測した反応時間に応じたフレームメモリＦＭのＦＭ番号を特定する。そして、選択エリア５００のブロック番号Ｃのブロックが、特定したＦＭ番号に該当するフレームメモリＦＭに対応するように選択エリア５００を移動させる。このようにすれば、ウィンドウ画像にユーザの反応時間を考慮した印刷候補画像が示されるので、ユーザは、所望する反応時間に応じた画像を容易に特定することができる。例えば、計測した反応時間が、０．２秒であり、各フレームメモリＦＭ間において、画像データがシフトされる時間が０．０５秒であるとすると、ユーザは、表示画像（現在表示画像に該当）を見てから、０．２秒後に画像取得ボタン１４４を押すことになるので、ユーザが見た表示画像は、フレームメモリＦＭにおいて４回シフトされたことになる。従って、現在表示画像を表示するフレームメモリＦＭは、ＦＭ番号３のフレームメモリＦＭであるから、特定される反応時間に応じたフレームメモリＦＭのＦＭ番号は、ＦＭ番号７となる。
【００６７】
Ｄ９．変形例９：
上記実施例において、ユーザは、ある特定の１人のユーザとして説明したが、本発明はこれに限られるものではない。本発明は、複数のユーザにおいても実施可能である。この場合には、例えば、テレビ受像機１０は、所定のＩＤを認証できる機能（図示せず）を備え、各ユーザに付与されるＩＤにより、各ユーザを認証して、各ユーザごとに上記処理を行うようにしてもよい。
【００６８】
Ｄ１０．変形例１０：
上記実施例の偏向度度数分布解析処理において、偏向度が一番高い階級のみを特定しているが、本発明はこれに限られるものではない。例えば、度数分布テーブルＱにおいて、偏向度の一番高い階級から順に偏向度の高い階級を特定してもよい。この場合、ウィンドウ画像に示す印刷候補画像は、その偏向度の高い順番に並べるようにしてもよい。このようにすれば、ユーザは、所望する画像をより容易に特定することができる。
【００６９】
Ｄ１１．変形例１１：
図１１は、本実施例におけるウィンドウ作成部が作成するウィンドウ画像Ｗ２を説明する図である。
上記実施例では、画像表示装置１３０にウィンドウ画像を表示する場合に、一番偏向度が高いブロック番号Ｃ（ＦＭ番号５）に対応する印刷候補画像のサムネイルが中央になるように左から順番に並べて表示していたが、本発明はこれに限られるものではない。例えば、図１１に示すように、ウィンドウ画像Ｗ２において、ブロック番号がＣ→Ａ→Ｂ→Ｄ→Ｅ（すなわち、取得先のフレームメモリＦＭのＦＭ番号が５→３→４→６→７）となるように並べて表示してもよい。さらに、図１１に示すように、ブロック番号Ｃ（取得先がＦＭ番号５のフレームメモリＦＭ）に対応する印刷候補画像は、上述したように一番偏向度が高いので、そのサムネイルが一番左に大きく目立つように示され、矢印と共に偏向度が一番高い旨を示すように表示してもよい。このようにすれば、フレームメモリＦＭに記憶された画像のうち、ユーザの過去の癖（すなわち、偏向度）に応じて、自動でウィンドウ画像にユーザの特定する可能性の高い画像を印刷候補画像として優先的に示すことができる。従って、ユーザは、所望する画像を容易に特定することができる。
【００７０】
Ｄ１２．変形例１２：
上記変形例１１では、偏向度が一番高い印刷候補画像を画像表示装置１３０に表示させる場合において、他の印刷候補画像よりも大きく目立つように示されているが、本発明はこれに限られるものではない。他の印刷候補画像と比較して、偏向度が一番高い印刷候補画像であると、区別することができればよく、例えば、ユーザが、選択状況を表わすサムネイルの縁取りを、偏向度が一番高い印刷候補画像に合わせると、音声で、その印刷候補画像が偏向度が一番高い画像であることを、ユーザに知らせても良い。このようにしても、ユーザの特定する可能性の高い画像を印刷候補画像として示すことができる。従って、ユーザは、所望する画像を容易に特定することができる。
【００７１】
Ｄ１３．変形例１３：
上記実施例では画像表示装置１３０に表示する画像を記憶するメモリ（以下、表示用メモリと呼ぶ。）としてＦＭ番号３のフレームメモリＦＭが用いられているが、本発明はこれに限られるものではない。例えば、上記ＦＭ番号１〜１０のフレームメモリＦＭとは別に、表示用メモリとしてのフレームメモリＦＭを設けてもよい。このようにすれば、表示用メモリと、印刷候補画像を取得するためのメモリとが分けて構成されることになる。従って、印刷候補画像を取得するメモリにおけるシフトの間隔の設定の自由度をあげることができる。
【図面の簡単な説明】
【００７２】
【図１】本発明の実施例におけるテレビ受像機の概略構成を示す説明図である。
【図２】本実施例におけるテレビ受像機の正面図である。
【図３】本実施例における画像処理回路の処理を説明するための模式図である。
【図４】本実施例のフレームメモリＦＭを含む選択エリアを説明する模式図である。
【図５】本実施例における画像印刷処理の流れを表すフローチャートである。
【図６】本実施例におけるウィンドウ作成部が作成するウィンドウ画像Ｗを説明する図である。
【図７】本実施例における印刷候補画像を特定する際のユーザの偏向度を示す度数分布テーブルＱを示す図である。
【図８】本実施例における偏向度度数分布解析処理の流れを表すフローチャートである。
【図９】本実施例の選択エリアの移動を説明する模式図である。
【図１０】本実施例におけるウィンドウ作成部が作成するウィンドウ画像Ｗ１を説明する図である。
【図１１】本実施例におけるウィンドウ作成部が作成するウィンドウ画像Ｗ２を説明する図である。
【符号の説明】
【００７３】
１０...テレビ受像機
１００ｂ...バス
１２０...画像処理回路
１３０...画像表示装置
１４０...操作パネル
１４２...十字キー
１４４...画像取得ボタン
１４６...印刷ボタン
１８０...メモリ
１８２...印刷候補画像データ格納部
１８５...度数分布テーブル格納部
１９０...メモリ
２００...画像処理部
２１０...ウィンドウ作成部
２２０...画像取得部
２３０...度数分布解析部
３００...プリンタ
５００...選択エリア
【図１】
2005341499.tif 000003
【図２】
2005341499.tif 000004
【図３】
2005341499.tif 000005
【図４】
2005341499.tif 000006
【図５】
2005341499.tif 000007
【図６】
2005341499.tif 000008
【図７】
2005341499.tif 000009
【図８】
2005341499.tif 000010
【図９】
2005341499.tif 000011
【図１０】
2005341499.tif 000012
【図１１】
2005341499.tif 000013